【手続補正書】
【提出日】平成16年11月2日(2004.11.2)
【手続補正１】
【補正対象書類名】明細書
【補正対象項目名】発明の名称
【補正方法】変更
【補正の内容】
【発明の名称】シリアル圧縮バス・インタフェース回路およびシリアル圧縮データを送る方法
【手続補正２】
【補正対象書類名】明細書
【補正対象項目名】特許請求の範囲
【補正方法】変更
【補正の内容】
【特許請求の範囲】
【請求項１】   複数のデータ・ソースからの時分割多重化済みシリアル・データを受け取るように構成された単一のシリアル・データ入力線を有し、更に、前記時分割多重化済みシリアル・データのパケットをデータ・アプリケーションに対応する複数の装置のうちの１つにパラレル形式で供給するための複数のパラレル出力線を有するシリアル−パラレル変換器と、
前記複数の装置の各々に接続されており、前記複数の装置のうちのどの装置が前記時分割多重化済みシリアル・データの前記パケットに対応しているかを特定する少なくとも１つのデータ有効信号を供給するように構成されたイネーブル論理回路と、を備える、シリアル圧縮バス・インタフェース回路。
【請求項２】  データ・アプリケーションに対応する前記複数の装置のうちの少なくとも１つについての前記時分割多重化済みシリアル・データを要求する少なくとも１つの要求信号を出力するように構成された要求制御回路を更に備える、請求項１記載のシリアル圧縮バス・インタフェース回路。
【請求項３】  前記少なくとも１つのデータ有効信号と前記少なくとも１つの要求信号とのうちの少なくとも一方を符号化してデータ・アプリケーションに対応する前記複数の装置のうちの２つ以上と対応付けるように構成された少なくとも１つのエンコーダを更に備える、請求項２記載のシリアル圧縮バス・インタフェース回路。
【請求項４】  前記要求制御回路が、更に、前記少なくとも１つの要求信号を符号化してデータ・アプリケーションに対応する前記複数の装置のうちの２つ以上と対応付けるように構成された、請求項２記載のシリアル圧縮バス・インタフェース回路。
【請求項５】  複数のデータ・ソースからのシリアル圧縮データを、データ・アプリケーションに対応する複数の装置に送る方法であって、
前記複数のデータ・ソースからの前記シリアル圧縮データを時分割多重化して、時分割多重化済みシリアル圧縮データを単一のデータ線上に供給するステップと、
前記時分割多重化済みシリアル圧縮データをパラレル・データのパケットに変換して、該パラレル・データの該パケットをデータ・アプリケーションに対応する前記複数の装置のうちの少なくとも１つが受信するように出力するステップと、
前記複数の装置のうちのどの装置が前記パラレル・データの前記出力されたパケットに対応しているかを特定する少なくとも１つのデータ有効信号を供給するステップと、を含んでいる、前記方法。
【請求項６】  前記時分割多重化済みシリアル圧縮データが、データ・アプリケーションに対応する前記複数の装置のうちの２つ以上について、有効であることを示すためのデータ有効信号を符号化するステップを更に含んでいる、請求項５記載の方法。
【請求項７】  前記時分割多重化済みシリアル圧縮データが、データ・アプリケーションに対応する前記複数の装置のうちの少なくとも１つによって要求されていることを示すための要求信号を符号化するステップを更に含んでいる、請求項５記載の方法。
【手続補正３】
【補正対象書類名】明細書
【補正対象項目名】０００７
【補正方法】変更
【補正の内容】
【０００７】
本発明は有利にも、複数の圧縮データ・ストリームを共用データ線上に時分割多重化（ｔｉｍｅ−ｄｉｖｉｓｉｏｎ  ｍｕｌｔｉｐｌｅｘ）することにより、従来のシリアル圧縮バスに関連するピン数を削減する。さらに、本発明は有利にも、従来のシリアル圧縮バス中で行われていたように各圧縮データ・ストリームごとに固有のハンドシェーク（ｈａｎｄｓｈａｋｅ）信号の対を使用するのではなく、データ有効（ｄａｔａ  ｖａｌｉｄ）ハンドシェーク信号およびデータ要求（ｄａｔａ  ｒｅｑｕｅｓｔ）ハンドシェーク信号を符号化（エンコード）する。
請求の範囲と実施例との対応関係を図面で使われている参照符号で示すと次の通りである。
（請求項１）   複数のデータ・ソースからの時分割多重化済みシリアル・データ（ＣＢ＿ＤＡＴＡ）を受け取るように構成された単一のシリアル・データ入力線を有し、更に、前記時分割多重化済みシリアル・データのパケットをデータ・アプリケーションに対応する複数の装置のうちの１つにパラレル形式で供給するための複数のパラレル出力線を有するシリアル−パラレル変換器（１１０）と、
前記複数の装置の各々に接続されており、前記複数の装置のうちのどの装置が前記時分割多重化済みシリアル・データの前記パケットに対応しているかを特定する少なくとも１つのデータ有効信号（ＣＢ＿ＤＶ）を供給するように構成されたイネーブル論理回路（１１２）と、を備える、シリアル圧縮バス・インタフェース回路。
（請求項２）  データ・アプリケーションに対応する前記複数の装置のうちの少なくとも１つについての前記時分割多重化済みシリアル・データ（ＣＢ＿ＤＡＴＡ）を要求する少なくとも１つの要求信号（ＣＢ＿ＲＥＱ）を出力するように構成された要求制御回路（１１４）を更に備える、請求項１記載のシリアル圧縮バス・インタフェース回路。
（請求項３）  前記少なくとも１つのデータ有効信号（ＣＢ＿ＤＶ）と前記少なくとも１つの要求信号（ＣＢ＿ＲＥＱ）とのうちの少なくとも一方を符号化してデータ・アプリケーションに対応する前記複数の装置のうちの２つ以上と対応付けるように構成された少なくとも１つのエンコーダを更に備える、請求項２記載のシリアル圧縮バス・インタフェース回路。
（請求項４）  前記要求制御回路（１１４）が、更に、前記少なくとも１つの要求信号（ＣＢ＿ＲＥＱ）を符号化してデータ・アプリケーションに対応する前記複数の装置のうちの２つ以上と対応付けるように構成された、請求項２記載のシリアル圧縮バス・インタフェース回路。
（請求項５）  複数のデータ・ソースからのシリアル圧縮データを、データ・アプリケーションに対応する複数の装置に送る方法であって、
前記複数のデータ・ソースからの前記シリアル圧縮データを時分割多重化して、時分割多重化済みシリアル圧縮データ（ＣＢ＿ＤＡＴＡ）を単一のデータ線上に供給するステップと、
前記時分割多重化済みシリアル圧縮データ（ＣＢ＿ＤＡＴＡ）をパラレル・データのパケットに変換して、該パラレル・データの該パケットをデータ・アプリケーションに対応する前記複数の装置のうちの少なくとも１つが受信するように出力するステップと、
前記複数の装置のうちのどの装置が前記パラレル・データの前記出力されたパケットに対応しているかを特定する少なくとも１つのデータ有効信号（ＣＢ＿ＤＶ）を供給するステップと、を含んでいる、前記方法。
（請求項６）  前記時分割多重化済みシリアル圧縮データ（ＣＢ＿ＤＡＴＡ）が、データ・アプリケーションに対応する前記複数の装置のうちの２つ以上について、有効であることを示すためのデータ有効信号（ＣＢ＿ＤＶ）を符号化するステップを更に含んでいる、請求項５記載の方法。
（請求項７）  前記時分割多重化済みシリアル圧縮データ（ＣＢ＿ＤＡＴＡ）が、データ・アプリケーションに対応する前記複数の装置のうちの少なくとも１つによって要求されていることを示すための要求信号（ＣＢ＿ＲＥＱ）を符号化するステップを更に含んでいる、請求項５記載の方法。